(57)【要約】【課題】  分離部材に結合された吸着板の面積の大きな板とくびれ部との連接部分が破壊を受けやすい。【解決手段】  遊技球送り装置の送出機構３４が、球入口５５及び球出口５６の形成された筐体と、電磁石５１と、筐体内に設けられた分離部材５２とを備え、分離部材が、回転部材９２と、収容凹部９３と、吸着板９４とを備え、電磁石への給電の遮断に伴い、分離部材の自重によって分離部材が回転し、分離部材が下降限度位置に停止することによって、球Ｐ１が収容凹部の入口に留め置かれ、電磁石への給電に伴い、電磁石が分離部材の吸着板を磁力で吸引することによって、上記収容凹部の入口に留め置かれた１個の球Ｐ１を収容凹部内に取り込み、さらに、上記収容凹部に取り込まれた球Ｐ１が球出口に排出されるとともに収容凹部の上隔壁９７が次の球を収容凹部の入口に留め置く。【選択図】図１
2007044230.tif 000002
【特許請求の範囲】
【請求項１】
遊技機枠の前側に開閉可能に設けられた皿構造体と、皿構造体の前側に設けられた受皿部と、皿構造体の前側に設けられた発射操作機構と、皿構造体の裏面に取り付けられた送出機構と、遊技機枠の閉じられた皿構造体で覆い隠される前面に設けられた発射機構とを備え、送出機構が受皿部に投入された球を取り込んで発射機構に１個ずつ分離供給する遊技球送り装置において、送出機構が、球入口及び球出口の形成された合成樹脂または弱磁性材よりなる筐体と、筐体内に設けられた馬蹄形コアの一端部に励磁コイルの巻付けられた電磁石と、筐体内に設けられた分離部材とを備え、分離部材が、一端部を回転中心として筐体に回転可能に取り付けられた合成樹脂または弱磁性材よりなる回転部材と、回転部材の他端部に球を受け入れるために回転部材の他端面から内部への窪みとして設けられた収容凹部と、回転部材の電磁石の側に位置する面に設けられた強磁性材よりなる吸着板とを備え、電磁石の励磁コイルへの給電の遮断に伴い、分離部材の自重によって分離部材が一端部を回転中心として下方に回転し、この下方への回転により分離部材が下降限度位置に停止することによって、収容凹部の上部を区画する上隔壁が、受皿部から筐体の球入口を経由して筐体の内部に供給された球を収容凹部の上隔壁と収容凹部の下部を区画する下隔壁との間における収容凹部の入口に留め置き、電磁石の励磁コイルへの給電に伴い、電磁石が分離部材の吸着板を磁力で吸引することによって、分離部材が一端部を回転中心として上方に回転し、この上方への回転により分離部材が上昇限度位置に停止する過程において、上記収容凹部の上隔壁で収容凹部の入口に留め置かれた１個の球を収容凹部内に取り込み、さらに、電磁石の励磁コイルへの給電の遮断に伴い分離部材が下降限度位置に停止する過程において、上記収容凹部に取り込まれた球が収容凹部から球出口に排出されるとともに収容凹部の上隔壁が受皿部から筐体の球入口を経由して筐体の内部に供給された球を収容凹部の入口に留め置くことを特徴とする遊技球送り装置。
【請求項２】
筐体の内部には、分離部材の上昇限度位置を決める上ストッパと分離部材の下降限度位置を決める下ストッパとを備え、上ストッパと下ストッパとが、上昇限度位置と下降限度位置との間を往復回転運動する分離部材と電磁石との互いの接触を阻止したことを特徴とする請求項１に記載の遊技球送り装置。
【請求項３】
筐体が容器と蓋とで形成され、容器が後壁と側壁とで囲まれた収納凹部を備え、後壁が球出口を備え、蓋が球出口と向かい合う開口の部分を塞ぐように容器に取り付けられるとともに蓋で塞がれない開口部を形成したことによって、電磁石が開口部を経由して容器内に設けられた電磁石の取付部に着脱可能とされたことを特徴とする請求項１に記載の遊技球送り装置。
【請求項４】
容器の球出口と対向する蓋の後面が、分離部材の上昇限度位置で収容凹部内に取り込まれる球の対応する初期部位と初期部位よりも下方に位置する下部位とを備え、下部位が初期部位よりも球出口の方向に張り出す形状に形成されたことを特徴とする請求項１に記載の遊技球送り装置。
【請求項５】
容器の球出口と対向する蓋の後面の位置が、収容凹部の上隔壁で収容凹部の入口に留め置かれてかつ容器の後壁の前面と接触した１個の球の球入口側の端面の位置よりも球出口に近い位置に形成されたことを特徴とする請求項１に記載の遊技球送り装置。
【請求項６】
収容凹部内に１個の球を取り込んだ分離部材が下降限度位置に停止するまでは、球出口の上縁と収容凹部の下隔壁との間で形成される開口の径が１個の球の径より小さく、収容凹部内に１個の球を取り込んだ分離部材が下降限度位置に停止した場合に、上隔壁で収容凹部の入口に１個の球を留め置くとともに、球出口の上縁と収容凹部の下隔壁との間で形成される開口の径が１個の球の径より大きくなるように形成されたことによって、収容凹部に取り込まれていた球が球出口の上縁と収容凹部の下隔壁との間を経由して発射機構に供給されることを特徴とする請求項１に記載の遊技球送り装置。
【請求項７】
吸着板が回転部材における電磁石の側に位置する面と対応した形状の平板により形成され、平板の面と回転部材における電磁石の側に位置する面とが向かい合わされた状態で吸着板が電磁石の側に位置する面に取り付けられたことを特徴とする請求項１に記載の遊技球送り装置。
【請求項８】
筐体が容器と蓋とで形成され、容器が後壁と側壁とで囲まれた収納凹部を備え、収納凹部と蓋とには、回転部材の回転中心軸を受ける軸受部が前後に延長して形成され、蓋には、ねじ挿入孔及び位置決め孔が蓋の前後に貫通する貫通孔により形成され、収納凹部の前面には、位置決め孔に嵌め合わされる位置決め突起が収納凹部の前面に対して前方に延長して形成されるとともにねじ挿入孔に繋がるねじ取付孔が収納凹部の前面に対して後方に延長して形成され、収納凹部の軸受部と回転部材の回転中心軸とが互いに嵌め合わされ、収納凹部の前側から蓋の軸受部と回転部材の回転中心軸とが互いに嵌め合わされて位置決め孔と位置決め突起とが互いに嵌め合わされた状態で、蓋の前側から止ねじがねじ挿入孔を経由して取付孔に締結されたことによって、蓋が収納凹部の前面に対して収納凹部の前側から取付可能とされたことを特徴とする請求項１に記載の遊技球送り装置。
【請求項９】
筐体が容器と蓋とで形成され、容器が後壁と側壁とで囲まれた収納凹部を備え、電磁石の馬蹄形コアの他端部にはねじ挿入孔及び位置決め孔が馬蹄形コアの前後に貫通する貫通孔により形成され、収納凹部を形成する後壁の前面には当該前面より前方に突出する電磁石の取付座が形成され、取付座には位置決め孔に嵌め合わされる位置決め突起が取付座の前面に対して前方に延長して形成されるとともにねじ挿入孔に繋がるねじ取付孔が取付座の前面より後方に延長して形成され、位置決め孔と位置決め突起とが互いに嵌め合わされ、馬蹄形コアの前側から止ねじがねじ挿入孔を経由して取付孔に締結されたことによって、電磁石が収納凹部内の取付座に収納凹部の前側から取付可能とされたことを特徴とする請求項１に記載の遊技球送り装置。
【発明の詳細な説明】
【技術分野】
【０００１】
本発明は、球を１個ずつ分離して発射機構に送る遊技球送り装置における送出機構において、送出機構の電磁石の着磁及び消磁によって電磁石に吸引及び吸引解除される送出機構の吸着板への負担を軽減し、吸着板の破壊しにくい遊技球送り装置を得る。
【背景技術】
【０００２】
遊技球送り装置は、電磁石の着磁と消磁とを交互に繰り返すことによって、遊技機枠の前面に設けられた受皿部から遊技機枠の内部に設けられた発射機構に球を１個ずつ分離しつつ供給している。しかしながら、分離部材に取り付けられた吸着板が電磁石の着磁と消磁とを交互に受けることによって分離部材の軸を中心として回転するが、この吸着板は面積の大きな板の一隅部から細く突出したくびれ部が分離部材にかしめのような鍛造加工で結合された構造であるので、１分間に１００発未満（例えば９９発）の球を１個ずつ分離供給する動作が繰り返されることによって、吸着板の面積の大きな板とくびれ部との連接部分が金属疲労で破壊を受けやすいという欠点がある。
【特許文献１】特許第３５１６４２３号公報
【発明の開示】
【発明が解決しようとする課題】
【０００３】
発明が解決しようとする問題点は、分離部材に結合された吸着板の面積の大きな板とくびれ部との連接部分が破壊を受けやすいという点である。
【課題を解決するための手段】
【０００４】
本発明に係る遊技球送り装置は、遊技機枠の前側に開閉可能に設けられた皿構造体と、皿構造体の前側に設けられた受皿部と、皿構造体の前側に設けられた発射操作機構と、皿構造体の裏面に取り付けられた送出機構と、遊技機枠の閉じられた皿構造体で覆い隠される前面に設けられた発射機構とを備え、送出機構が受皿部に投入された球を取り込んで発射機構に１個ずつ分離供給する遊技球送り装置において、送出機構が、球入口及び球出口の形成された合成樹脂または弱磁性材よりなる筐体と、筐体内に設けられた馬蹄形コアの一端部に励磁コイルの巻付けられた電磁石と、筐体内に設けられた分離部材とを備え、分離部材が、一端部を回転中心として筐体に回転可能に取り付けられた合成樹脂または弱磁性材よりなる回転部材と、回転部材の他端部に球を受け入れるために回転部材の他端面から内部への窪みとして設けられた収容凹部と、回転部材の電磁石の側に位置する面に設けられた強磁性材よりなる吸着板とを備え、電磁石の励磁コイルへの給電の遮断に伴い、分離部材の自重によって分離部材が一端部を回転中心として下方に回転し、この下方への回転により分離部材が下降限度位置に停止することによって、収容凹部の上部を区画する上隔壁が、受皿部から筐体の球入口を経由して筐体の内部に供給された球を収容凹部の上隔壁と収容凹部の下部を区画する下隔壁との間における収容凹部の入口に留め置き、電磁石の励磁コイルへの給電に伴い、電磁石が分離部材の吸着板を磁力で吸引することによって、分離部材が一端部を回転中心として上方に回転し、この上方への回転により分離部材が上昇限度位置に停止する過程において、上記収容凹部の上隔壁で収容凹部の入口に留め置かれた１個の球を収容凹部内に取り込み、さらに、電磁石の励磁コイルへの給電の遮断に伴い分離部材が下降限度位置に停止する過程において、上記収容凹部に取り込まれた球が収容凹部から球出口に排出されるとともに収容凹部の上隔壁が受皿部から筐体の球入口を経由して筐体の内部に供給された球を収容凹部の入口に留め置くことを特徴とする。筐体の内部には、分離部材の上昇限度位置を決める上ストッパと分離部材の下降限度位置を決める下ストッパとを備え、上ストッパと下ストッパとが、上昇限度位置と下降限度位置との間を往復回転運動する分離部材と電磁石との互いの接触を阻止したことや、筐体が容器と蓋とで形成され、容器が後壁と側壁とで囲まれた収納凹部を備え、後壁が球出口を備え、蓋が球出口と向かい合う開口の部分を塞ぐように容器に取り付けられるとともに蓋で塞がれない開口部を形成したことによって、電磁石が開口部を経由して容器内に設けられた電磁石の取付部に着脱可能とされたことや、容器の球出口と対向する蓋の前面が、分離部材の上昇限度位置で収容凹部内に取り込まれる球の対応する初期部位と初期部位よりも下方に位置する下部位とを備え、下部位が初期部位よりも球出口の方向に張り出す形状に形成されたことや、容器の球出口と対向する蓋の前面の位置が、収容凹部の上隔壁で収容凹部の入口に留め置かれてかつ容器の後壁の前面と接触した１個の球の球入口側の端面の位置よりも球出口に近い位置に形成されたことや、収容凹部内に１個の球を取り込んだ分離部材が下降限度位置に停止するまでは、球出口の上縁と収容凹部の下隔壁との間で形成される開口の径が１個の球の径より小さく、収容凹部内に１個の球を取り込んだ分離部材が下降限度位置に停止した場合に、上隔壁で収容凹部の入口に１個の球を留め置くとともに、球出口の上縁と収容凹部の下隔壁との間で形成される開口の径が１個の球の径より大きくなるように形成されたことによって、収容凹部に取り込まれていた球が球出口の上縁と収容凹部の下隔壁との間を経由して発射機構に供給されることも特徴とする。吸着板が回転部材における電磁石の側に位置する面と対応した形状の平板により形成され、平板の面と回転部材における電磁石の側に位置する面とが向かい合わされた状態で吸着板が電磁石の側に位置する面に取り付けられたことや、筐体が容器と蓋とで形成され、容器が後壁と側壁とで囲まれた収納凹部を備え、収納凹部と蓋とには、回転部材の回転中心軸を受ける軸受部が前後に延長して形成され、蓋には、ねじ挿入孔及び位置決め孔が蓋の前後に貫通する貫通孔により形成され、収納凹部の前面には、位置決め孔に嵌め合わされる位置決め突起が収納凹部の前面に対して前方に延長して形成されるとともにねじ挿入孔に繋がるねじ取付孔が収納凹部の前面に対して後方に延長して形成され、収納凹部の軸受部と回転部材の回転中心軸とが互いに嵌め合わされ、収納凹部の前側から蓋の軸受部と回転部材の回転中心軸とが互いに嵌め合わされて位置決め孔と位置決め突起とが互いに嵌め合わされた状態で、蓋の前側から止ねじがねじ挿入孔を経由して取付孔に締結されたことによって、蓋が収納凹部の前面に対して収納凹部の前側から取付可能とされたことや、筐体が容器と蓋とで形成され、容器が後壁と側壁とで囲まれた収納凹部を備え、電磁石の馬蹄形コアの他端部にはねじ挿入孔及び位置決め孔が馬蹄形コアの前後に貫通する貫通孔により形成され、収納凹部を形成する後壁の前面には当該前面より前方に突出する電磁石の取付座が形成され、取付座には位置決め孔に嵌め合わされる位置決め突起が取付座の前面に対して前方に延長して形成されるとともにねじ挿入孔に繋がるねじ取付孔が取付座の前面より後方に延長して形成され、位置決め孔と位置決め突起とが互いに嵌め合わされ、馬蹄形コアの前側から止ねじがねじ挿入孔を経由して取付孔に締結されたことによって、電磁石が収納凹部内の取付座に収納凹部の前側から取付可能とされたことも特徴とする。
【発明の効果】
【０００５】
本発明に係る遊技機の球送り装置によれば、送出機構の電磁石の着磁及び消磁によって電磁石に吸引及び吸引解除される分離部材の吸着板が分離部材における回転部材の電磁石の側に位置する面に設けられているので、電磁石の着磁及び消磁が繰り返されることによっても吸着板が破壊されにくい。上ストッパと下ストッパとが、上昇限度位置と下降限度位置との間を往復回転運動する分離部材と電磁石との互いの接触を阻止した構成により、電磁石の耐久性が高くなり、電磁石を再利用に供し得る機会が多くなる。電磁石が開口部を経由して容器内に設けられた電磁石の取付部に着脱可能とされたことにより、電磁石を再利用する場合の電磁石の取り外し作業を容易にできる。容器の球出口と対向する蓋の前面の下部位が初期部位よりも球出口の方向に張り出す形状に形成された構成としたことで、分離部材が下降限度位置まで回転した場合に、球が前面の下部位に衝突することで球を球出口の方向に加速させることができて、球を球出口よりスムーズに排出させることができる。容器の球出口と対向する蓋の前面の位置が、収容凹部の上隔壁で収容凹部の入口に留め置かれてかつ容器の後壁の前面と接触した１個の球の球入口側の端面の位置よりも球出口に近い位置に形成することによって、発射機構から収容凹部内に球が逆流してきた場合でもその球が球出口の方向に動きやすくなるので、発射機構からの球の逆流に基づく球噛みを少なくできる。収容凹部内に１個の球を取り込んだ分離部材が下降限度位置に停止するまでは、球出口の上縁と収容凹部の下隔壁との間で形成される開口の径が１個の球の径より小さく、収容凹部内に１個の球を取り込んだ分離部材が下降限度位置に停止した場合に、上隔壁で収容凹部の入口に１個の球を留め置くとともに、球出口の上縁と収容凹部の下隔壁との間で形成される開口の径が１個の球の径より大きくなるように形成されたことによって、収容凹部に取り込まれていた球が球出口の上縁と収容凹部の下隔壁との間を経由して発射機構に供給される構成としたので、球を１個ずつ確実に分離して球出口より排出できる。吸着板が電磁石の側に位置する面と対応した形状の平板により形成され、平板の面と電磁石の側に位置する面とが向かい合わされた状態で吸着板が電磁石の側に位置する面に取り付けられる構成としたので、吸着板において金属疲労の集中する部分を少なくでき、吸着板の破壊しにくい構造が得られる。蓋が収納凹部の前面に対して収納凹部の前側から取付可能とされた構成において、分離部材における回転部材の回転中心軸が軸受部に装着されて分離部材が回転中心軸を回転中心として筐体に回転可能に取り付けられ、蓋が収納凹部の前面に取り付けられることで、送出機構が組み立てられるので、送出機構の組み立てが容易となる。位置決め孔と位置決め突起とにより形成される電磁石位置決め機構を備え、電磁石が収納凹部内の取付座に収納凹部の前側から取付可能とされた構成を備えたので、容器の収納凹部内に対する電磁石の着脱作業を容易にできる。
【発明を実施するための最良の形態】
【０００６】
最良の形態１
図１乃至図１１は、遊技球送り装置の最良の形態１を示す。図１は、遊技球送り装置の送出機構による球の送り動作を前面側から見て示す。図２は、送出機構による球の送り動作を断面で示す。図３は、送出機構を分解して前側から見て示す。図４は、送出機構を分解して裏側から見て示す。図５は、送出機構を前面から見た斜視図を示す。図６は、送出機構の蓋を取った状態を前面から見た斜視図を示す。図７は、送出機構を前面から見て示す。図８は、送出機構の蓋を取った状態を前面から見て示す。図９は、送出機構と送出機構の取付部とを分離して示す。図１０は、送出機構の取付部に送出機構を取り付けた状態を示す。図１１は、送出機構の取付具及び取付具の取付動作を示す。図１２は、図７のＡ−Ａ断面に相当する送出機構の縦断面を示す。図１３は、パチンコ機の遊技機枠と遊技盤とを分離して示す。この明細書において、「前」、「後」、「裏」、「左」、「右」、「上」、「下」の方向は、図１３の状態に遊技機枠１Ａおよび遊技盤４０を置いて矢印Ａで示す前側から見た場合に特定される方向である。「後」と「裏」とは同じ方向である。
【０００７】
まず、図１３を参照し、パチンコ機における遊技機枠１Ａと遊技盤４０との構造について説明する。遊技機枠１Ａは、固定枠２の前側に可動枠３を左側のヒンジ４で横方向に片開き可能に取り付け、可動枠３の前側に扉５および皿構造体６を左側のヒンジ７で横方向に片開き可能に取り付けた構造である。固定枠２は、パチンコ店の図外の島と呼ばれる遊技機設置構造体に取り付けるための外枠とも呼ばれ、前後方向に貫通した縦長な長方形の空間を囲む額縁形状である。可動枠３は、遊技盤４０を取り付ける前枠とも呼ばれ、前後方向に貫通した縦長な長方形の空間を囲む額縁形状の可動枠本体８から盤収納構造体９を内部に延設する。可動枠本体８の右縦片部には、施錠装置１０と複数のロック機構１１；１２；１３およびロック解除操作体１４が設けられる。盤収納構造体９は、遊技盤４０を装着する前側に開口した盤収納室１５の背壁１６に前後方向に貫通する中央開口部１７を備える。背壁１６の左側部には、盤押圧体１８および盤受ストッパ１９が設けられる。背壁１６の右側部には、盤ロック機構２０が設けられる。盤ロック機構２０は、背壁１６から前側に突出する円筒状の台座の中心にロック操作体２１を回転可能に備える。ロック操作体２１は、台座から前側に突出した操作軸の端部に固定された横長な形態である。盤収納室１５の下縁部は、遊技盤４０を搭載する左右方向に平坦な面としての盤棚２２を形成する。盤棚２２から下方に延設された盤収納構造体９における前壁２３の前面には、発射機構２４、発射レール２５、ファール球取入口２６、払出球中継樋２７が設けられる。発射レール２５は、皿構造体６の前面に設けられた受皿部３１から皿構造体６の裏面６ｂに取り付けられた送出機構３４の球入口５５及び球出口５６を経由して供給される１個の球を受け取る。発射機構２４は、電力の供給と遮断とを交互に受けることによって、受皿部３１から発射レール２５に供給された球を盤収納室１５に取り付けられた遊技盤４０の遊技領域４１に向けて１個ずつ発射する。発射機構２４は、閉じられた皿構造体６で覆い隠される前壁２３の前面に設けられる。発射レール２５は、発射機構２４から発射された球を、遊技盤４０における発射通路４４の入口に誘導する。払出球中継樋２７は、可動枠３の裏側に設けられた図外の球払出装置から払い出された球を皿構造体６の球取入口３３に排出する。前壁２３の裏面には機外排出樋２８が設けられる。機外排出樋２８は、遊技盤４０の裏側から排出された球を受け取って島と呼ばれる遊技機設置構造体における補球機構に排出する。扉５は、パネル枠とも呼ばれ、前後方向に貫通する窓２９を囲む額縁形状である。扉５の裏面には、前面パネル３０が窓２９を覆うように扉５の裏側から取り付けられる。前面パネル３０は、ガラスまたは合成樹脂などの材料からなる光を透過する性質の有る板状である。皿構造体６の前面には、受皿部３１および発射操作機構３２が設けられる。受皿部３１は、遊技に使用するパチンコ球と呼ばれる球を受ける容器であって、球を収容する部分を上方に開口した上方から下方に窪む窪みとして有する。発射操作機構３２は、遊技者が球を発射するために操作するものである。皿構造体６の裏面６ｂには、球取入口３３および送出機構３４が設けられる。球取入口３３は、払出球中継樋２７から排出された球を受皿部３１に供給する部分である。送出機構３４は、受皿部３１から発射機構２４に球を１個ずつ分離供給する機構である。遊技機枠１Ａの裏面には、電源装置２００、発射払出制御装置２０１、図外の球払出機構などが取り付けられる。
【０００８】
遊技機枠１Ａでは、可動枠３や扉５および皿構造体６が閉じられてロック機構１１乃至１３で開閉不能に支持された場合、遊技店の店員が図外のキープレート（鍵）を遊技機枠１Ａの前側から施錠装置１０の鍵穴３５に挿入し、当該キープレートを例えば右側に９０度回転操作すると、固定枠２と可動枠３とのロック機構１１による支持形態が解除される。この支持形態の解除後に、店員が可動枠３を前側に引くことによって、可動枠３はヒンジ４を回転中心として前側に片開きされる。また、上記施錠装置１０の鍵穴３５に挿入されたキープレートが例えば左側に９０度回転操作されると、可動枠３と扉５とのロック機構１２による支持形態が解除される。この支持形態の解除後に、店員が扉５を前側に引くことによって、扉５はヒンジ７を回転中心として前側に片開きされる。このように、扉５が前側に開かれた状態において、店員が可動枠３の前面に設けられたロック解除操作体１４を操作すると、可動枠３と皿構造体６とのロック機構１３による支持形態が解除される。この支持形態の解除後に、店員が皿構造体６を前側に引くことによって、皿構造体６はヒンジ７を回転中心として前側に片開きされる。
【０００９】
遊技盤４０の前面４０ａには、内ガイドレール３５ａと外ガイドレール３５ｂとからなるガイドレールが設けられ、ガイドレールで囲まれた内側の遊技領域４１には、始動入賞部品３６、一般入賞部品３７、可変入賞部品３８、飾り部品３９、サイドランプ飾り４２、遊技釘４３ａ、風車４３ｂ、アウト口４３ｃを備える。飾り部品３９は、センター飾りとも呼ばれる。内ガイドレール３５ａの左側部と外ガイドレール３５ｂの左側部との間に形成された隙間は、発射通路４４である。発射通路４４は、発射機構２４から発射された球を遊技領域４１に誘導する。遊技盤４０の右側部には、盤側取付部４４ａが、上下に位置して設けられる。盤側取付部４４ａは、ロック挿入孔４４ｂを個別に備える。
【００１０】
前面４０ａおよび裏面４０ｂに部品を搭載した遊技盤４０が、遊技機枠１Ａに次のように装着される。扉５が可動枠３の前側に開けられた状態において、遊技盤４０の前面が前側に向けられ、遊技盤４０の裏側が遊技機枠１Ａの方向に向けられ、遊技盤４０が可動枠３の前側から盤収納室１５に挿入され、遊技盤４０の下部が盤棚２２の上に載せられ、遊技盤４０の左側部が盤押圧体１８と盤受ストッパ１９との間に挿入され、遊技盤４０の左側部が盤押圧体１８で前側に押されつつ盤押圧体１８と盤受ストッパ１９とで前後方向から挟まれた後、遊技盤４０の右側部が作業者によって後側に押されると、盤ロック機構２０のロック操作体２１が盤側取付部４４ａのロック挿入孔４４ｂに後側から挿入されて前側に突出する。その状態において、作業者がロック操作体２１を例えば左方向に９０度回転操作すると、ロック操作体２１がロック挿入孔４４ｂの周りにおける盤側取付部４４ａと係合し、遊技盤４０が可動枠３に取り付けられる。このように遊技盤４０が可動枠３に取り付けられた場合、遊技盤４０の裏面に設けられた図外の演出制御装置、主制御装置などが、中央開口部１７を経由して盤収納構造体９より裏側に突出する。
【００１１】
遊技球送り装置は、遊技機枠１Ａ、皿構造体６、受皿部３１、発射操作機構３２、送出機構３４、発射機構２４を備え、送出機構３４が受皿部３１に投入された球を取り込んで１個ずつ分離して発射機構２４に供給する構成である。
【００１２】
図３乃至図８を参照し、遊技球送り装置の送出機構３４を説明する。送出機構３４は、筐体５０、電磁石５１、分離部材５２を備える。筐体５０は、合成樹脂の容器５３と合成樹脂の蓋５４とが組み合わされて形成され、球入口５５及び球出口５６を備える。容器５３は、前壁５７、後壁５８、上壁５９、右側壁６０、左側壁６１、下壁６２を備え、前壁５７、後壁５８、上壁５９、右側壁６０、左側壁６１、下壁６２で囲まれた収納凹部６３を有した箱形状である。容器５３の後壁５８には、後壁５８を前後に貫通する電磁石放熱孔６４及び球出口５６が形成される。電磁石放熱孔６４は後壁５８の上部中央に形成され、球出口５６は後壁５８の右下部に形成される。右側壁６０には右側壁６０の外面より外側に突出して上下右方向に延長する筐係合部６５が設けられる。筐係合部６５は、皿構造体６の裏面６ｂに設けられた台係合部１２４（図９参照）に係合する。左側壁６１には左側壁６１の外面より外側に突出する取付板６７が設けられる。取付板６７には、後述する取付具６８が設けられる。容器５３の右下部には、下壁６２、後壁５８、左側壁６１の切除された切除部６９を備える。蓋５４は、蓋前壁７０と、容器５３の切除部６９を補う形状に形成された継壁７１とを備える。継壁７１は、蓋前壁７０の左側縁より後方に延長する蓋左側壁７２と、蓋前壁７０の下縁より後方に延長する蓋下壁７３と、蓋左側壁７２及び蓋下壁７３と連接して蓋前壁７０と平行に設けられた蓋後壁７４とを備える。
【００１３】
図３；４に示すように、筐体５０には、電磁石５１の取付部、蓋５４の取付部、分離部材５２の取付部が設けられる。電磁石５１の取付部は、容器５３の後壁５８の前面において電磁石放熱孔６４の左縁に沿った上下の位置から前方に突出する２つの取付座７８；７８により形成される。蓋５４の取付部は、容器５３の切除部６９の横に位置する下壁６２に下面より上方に窪むよう形成された取付面７９と、取付面７９より下方に突出する蓋５４の位置決め突起８０と、取付面７９より上方に延長して形成されたねじ取付孔８１とで形成される。分離部材５２の取付部は、容器側取付部と蓋側取付部とで形成される。容器側取付部は、容器５３の切除部６９の上方に位置する後壁５８、左側壁６１、前壁５７とで形成された軸上支持部８２と軸上支持部８２に形成された軸上支持孔８３とで構成される。軸上支持孔８３は、軸上支持部８２の後壁５８の前面から後方に窪むとともに後壁５８の下縁に開放された半円柱形状の後側凹部と、軸上支持部８２の前壁５７の前面から前方に窪むとともに前壁５７の下縁に開放された半円柱形状の前側凹部とからなる前後一対の凹部により形成される。蓋側取付部は、蓋前壁７０、蓋左側壁７２、蓋後壁７４とで形成された軸下支持部８４と軸下支持部８４に形成された軸下支持孔８５とで構成される。軸下支持孔８５は、軸下支持部８４の蓋前壁７０の前面から前方に窪むとともに蓋前壁７０の上縁に開放された半円柱形状の蓋前側凹部と、軸下支持部８４の蓋後壁７４の前面から後方に窪むとともに蓋後壁７４の上縁に開放された半円柱形状の蓋後側凹部とからなる一対の凹部により形成される。
【００１４】
電磁石５１は、馬蹄形コア８６、励磁コイル８７を備える。馬蹄形コア８６は、平行に相対峙する２つの脚部８８；８９とこれら脚部８８；８９の一端部同士を連結する連結部９０とを備えた形状である。励磁コイル８７は、絶縁体よりなる筒体（ボビン）の筒周りに銅線を巻いて形成される。電磁石５１は、馬蹄形コア８６の一方の脚部８９が筒体の筒孔に挿入されたことによって、馬蹄形コア８６の一端部に励磁コイル８７の巻付けられた構成である。馬蹄形コア８６の他方の脚部８８にはねじ挿入孔９１；９１が形成される。
【００１５】
分離部材５２は、回転部材９２、収容凹部９３、吸着板９４を備える。回転部材９２は、合成樹脂よりなり、一端部９５を回転中心として筐体５０に回転可能に取り付けられる。回転部材９２の他端部には、球を受け入れるための収容凹部９３が形成される。収容凹部９３は、回転部材９２の他端面９６から内部への窪みとして設けられて前後に開口する。具体的には、回転部材９２の他端部に設けられた相対峙する上隔壁９７と下隔壁９８とこれら上隔壁９７と下隔壁９８とを互いに連絡する連絡壁９９とで形成され、前後及び上下の壁の先端間が開口の凹部である。吸着板９４は、取付片１００が止ねじ１０１により分離部材５２の後面１０２に取り付けられることで、回転部材９２における電磁石５１の側に位置する面、即ち、上壁部９７の上面１０３に設けられる。つまり、後面１０２に止ねじ１０１により取り付けられる取付片１００と屈曲した状態で連接される吸着板９４は、左右に延長して前後幅の等しい長方形状の上面１０３と同じ形状に形成されて、上面１０３のほぼ全面に乗るような状態に取り付けられるので、電磁石５１の着磁及び消磁によって電磁石５１に吸引及び吸引解除が繰り返されても金属疲労の集中する部分が少なく、破壊しにくい。馬蹄形コア８６及び吸着板９４は、軟鉄のような強磁性材により形成される。
【００１６】
送出機構３４の組立方法を説明する。止ねじ１０５；１０５が馬蹄形コア８６の貫通孔９１；９１を経由して取付座７８；７８の取付孔に締結されることによって、電磁石５１が容器５３の収納凹部６３内に取付けられる。分離部材５２の回転中心孔１０６には回転中心軸１０７がはめ込まれ、分離部材５２の前後に突出させた回転中心軸１０７が容器側取付部の軸上支持孔８３と蓋側取付部の軸下支持孔８５との間に挟まれて挿入されるとともに、蓋５４の蓋下壁７３に形成された位置決め孔１０８と容器５３の下壁６２に形成された位置決め突起８０とが嵌め合わされ、止ねじ１０９が蓋５４の蓋下壁７３に形成された貫通孔１１０と容器５３の下壁６２に形成された取付孔８１とに締結されることによって、分離部材５２が回転中心軸１０７の回転と一緒に回転する状態に取付けられる。また、蓋の蓋前壁７０の右上側の開口縁１１１と容器５３の右側壁１１２とが互いに対向した開口よりなる球入口５５が形成される（図５参照）。蓋５４は、蓋前壁７０で容器５３の前側下部を塞ぎ、継壁７１で容器５３の切除部６９を塞ぐように容器５３における蓋５４の取付部に取付けられる。
【００１７】
つまり、筐体５０が容器５３と蓋５４とで形成され、容器５３が後壁としての後壁５８と側壁としての上壁５９、右側壁６０、左側壁６１、下壁６２とで囲まれた収納凹部６３を備え、後壁５８が球出口５６を備え、蓋５４が球出口５６と向かい合う容器５３の前側の開口における下部側の開口部１１３（図８参照）を塞ぐように容器５３に取り付けられるとともに蓋５４で塞がれない容器５３の前側上部の開口部１１４（図７参照）を形成したことによって、電磁石５１が開口部１１４を経由して容器５３内に設けられた電磁石５１の取付部に着脱可能とされた。言い換えれば、蓋５４が容器５３の前側の開口のうち電磁石５１の対応する部分を除く開口部１１３を塞ぐ形状に形成されて電磁石５１の対応する部分を除く開口部１１３を塞ぐように容器５３に取り付けられた状態において、電磁石５１を、容器５３内の電磁石５１の取付部に着脱可能とした構成とした。このような構成としたことにより、送出機構３４の組立において電磁石５１を最後に取り付けることができるので、容器５３への分離部材５２の取り付け作業が容易となり、送出機構３４の組立を容易にできる。また、蓋５４を取り外すことなく電磁石５１を取り外すことができるので、電磁石５１を再利用（リサイクル）する場合の電磁石５１の取り外し作業を容易にできる。
【００１８】
図９；図１０に示すように、皿構造体６の裏面６ｂには、送出機構３４の取付部１２０が設けられる。取付部１２０は、皿構造体６の裏面６ｂに形成された球導入口１２１の周りに形成される。球導入口１２１は球通路１２２を経由して受皿部３１に繋がる。取付部１２０は、右規制部１２３、台係合部１２４、上規制部１２５、下規制部１２６、前規制部１２７、左規制部１２８、固定部１２９を備える。右規制部１２３は、球導入口１２１の右縁に沿って皿構造体６の裏面６ｂより後方に突出し上下に間隔を隔てて延長する上右壁１３１と下右壁１３２とにより形成される。台係合部１２４は、上側壁１３３と下側壁１３４と連結部１３５と皿構造体６の裏面６ｂとで囲まれた係合孔として形成される。上側壁１３３は、上右壁１３１の下端より裏側に突出する。下側壁１３４は、下右壁１３２の上端より裏側に突出する。連結部１３５は、上側壁１３３の後端と下側壁１３４の後端とを連結する。上規制部１２５は、上右壁１３１の上端より左方向に延長するように裏面６ｂに形成された壁により形成される。下規制部１２６は、下右壁１３２の下端より左方向に延長するように裏面６ｂに形成された壁により形成される。前規制部１２７；１２７は、上右壁１３１の左面より左方向に延長するように裏面６ｂに形成された壁の裏面と下右壁１３２の左面より左方向に延長するように裏面６ｂに形成された壁の裏面とにより形成される。前規制部１２７の裏面は、右規制部１２３、上規制部１２５、下規制部１２６の裏面より前方に位置する。左規制部１２８は、前規制部１２７の左端より後方に立ち上がる壁により形成される。前規制部１２７；１２７の裏面、右規制部１２３の左面、上規制部１２５の下面、下規制部１２６の上面、左規制部１２８；１２８の右面とで区画された凹部が、送出機構３４の球入口５５と球導入口１２１との位置を互いに適切に位置決めして送出機構３４の前部を収容するための位置決め凹部１３６を形成する。固定部１２９は、上下の左規制部１２８；１２８の間において左規制部１２８；１２８よりも左側に位置する裏面６ｂより裏側に突出して形成された前後に延長する取付孔１３７を有する筒部により形成される。
【００１９】
図１１を参照し、容器５３の取付板６７に取り付けられる取付具６８を説明する。取付具６８は、係合具１５０と操作具１５１とを備える。図１１のａ図に示すように、係合具１５０は、前後方向に貫通する中心孔１５２を有する円筒本体１５３の一端部に受部１５４を備え、円筒本体１５３の他端部に掛止部１５５を備える。受部１５４は円筒本体１５３の一端部より軸心方向の一方の外側に開口する皿状である。受部１５４と掛止部１５５との間における円筒本体１５３の外周面は、受部１５４の外径と掛止部１５５の外径との双方よりも細い、くびれ部１５６として形成される。掛止部１５５は、割溝１５７によって、周方向に独立した複数の片持ち梁のような弾性片として形成される。割溝１５７は、掛止部１５５の他端部とくびれ部１５６との間を、軸心方向と直径方向とに切り欠かれる。掛止部１５５を構成する各弾性片の中心孔１５２を囲む前面には、突起１５８が、軸心方向に向けて突出する。操作具１５１は、棒本体１６０の一端部に鍔１６１とくびれ部１６２と摘み１６３とを備え、棒本体１６０の他端部に係合溝１６４を備える。棒本体１６０は、受部１５４の方向から中心孔１５２に挿入されるとともに、中心孔１５２に挿入された場合に突起１５８を中心孔１５２の径方向外側に押して掛止部１５５を押し広げる、太さである。鍔１６１は、棒本体１６０の外径よりも大きな外径であって、受部１５４における周壁で囲まれた内部に取り込まれる大きさである。くびれ部１６２は、鍔１６１から同軸状に突出し、鍔１６１と摘み１６３との双方よりも細い。摘み１６３は、くびれ部１６２と鍔１６１との双方よりも太い円盤形状である。係合具１５０のくびれ部１５６が、送出機構３４に設けられた保持具１４９の取付孔１７０に嵌め込まれることによって、受部１５４と掛止部１５５とが、取付孔１７０の周囲における保持具１４９を挟む格好となり、係合具１５０が、取付板６７に取り付けられる。保持具１４９は取付板６７に取付孔１７０が形成されたものである。固定部１２９は、裏側に開口した前後に延長する筒状の取付孔１３７を備える。図１１のｂ図のように、操作具１５１の棒本体１６０が、係合具１５０の受部１５４の方向から中心孔１５２に挿入されることによって、係合溝１６４が、突起１５８に嵌め込まれた格好となり、操作具１５１が、係合具１５０に取り付けられる。
【００２０】
皿構造体６の裏面６ｂへの送出機構３４の取付けは、送出機構３４の前面を裏面６ｂに向かい合わせ、送出機構３４の右側の筐係合部６５を取付部１２０の台係合部１２４にはめ込み、送出機構３４の左側を裏面６ｂの方向に押して送出機構３４の前面側を位置決め凹部１３６内に挿入し、取付具６８を押して固定部１２９に結合する。送出機構３４の取付部１２０が位置決め凹部１３６を備えるので、球導入口１２１から送出機構３４の球入口５５へと球が１個ずつ適切に供給されるように、送出機構３４の球入口５５と球導入口１２１とが互いに適切に位置決めされる。
【００２１】
図１１のｃ図を参照し、容器５３の取付板６７に取り付けられた取付具６８が固定部１２９に取り付けられる構造について説明する。保持具１４９の前面を固定部１２９の裏側にかぶせ、係合具１５０の掛止部１５５を固定部１２９の取付孔１３７内に入れた状態で、人が、操作具１５１の摘み１６３を矢印Ｘ１で示す方向に押すことによって、上記突起１５８と係合溝１６４との嵌まり合いが解除され、棒本体１６０が中心孔１５２の内部を奥に進入する。これに伴い、棒本体１６０の外周面が、突起１５８を中心孔１５２の径方向外側に押して、掛止部１５５を押し広げる。この中心孔１５２の径方向外側に押し広げられた掛止部１５５が、取付孔１３７を径方向外側に突っ張るように、取付孔１３７に接触する。これによって、取付具６８が固定部１２９の取付孔１３７に押し込まれた形態となり、取付板６７に取り付けられた取付具６８と固定部１２９とが互いに取り付けられる。
【００２２】
このように取付具６８と固定部１２９とが互いに取り付けられた状態において、人が、操作具１５１の摘み１６３を矢印Ｘ２で示す方向に引くことによって、棒本体１６０が中心孔１５２の奥から手前に後退する。これに伴い、棒本体１６０の外周面による突起１５８に対する中心孔１５２の径方向外側への押し力が弱くなり、掛止部１５５が自身の弾性によって径方向内側に復帰し、突起１５８が係合溝１６４に嵌まり込み、掛止部１５５が取付孔１３７から離れ、図１１のｂ図の状態になる。これによって、取付具６８と固定部１２９との係合が解除された形態となり、人が取付具６８を固定部１２９から離れる方向に移動すると、固定部１２９から取付具６８が取り外される。
【００２３】
送出機構３４の内部構成について蓋５４を取り外した図８を参照して説明する。送出機構３４は、球保留部１７１を備える。球保留部１７１は、容器５３の内部壁１７２の上面１７３と、容器５３の後壁５８の前面１７４と、回転部材９２の上隔壁９７の右端面９６とにより形成される。内部壁１７２は、容器５３の球出口５６の右縁と右側壁６０との間において後壁５８の前面１７４から前方に突出して形成される。内部壁１７２の上面１７３は、右側壁６０の前面の側から球出口５６の右縁の方向に傾斜して下る傾斜面である。容器５３の後壁５８の前面１７４は、容器５３の球入口５５の上部に位置する平坦面である。後壁５８の前面１７４には、容器５３の球入口５５の上縁５５ａより下部後方に傾斜する入口上部傾斜面１７５が連接する。入口上部傾斜面１７５は、球入口５５を経由して送出機構３４内に入った球を球保留部１７１の方向に案内する面である。
【００２４】
図７の球入口５５より送出機構３４内に球が入った場合、球は、球保留部１７１により保留される。内部壁１７２は左の上部に分離部材５２の上昇限度位置を決める上ストッパ１７６を備える。図８に戻り、上ストッパ１７６は、内部壁１７２の上面１７３の左端より下方に延長する左端面と左端面の下端より右側に延長する係止面と係止面の右端より下方に延長する左側面とにより形成される。分離部材５２の下隔壁９８の右端部には上ストッパ１７６に係合する形状のストッパ受部１７７が形成される。分離部材５２の下隔壁９８の下面には下方に突出する下ストッパ１７８を備える。励磁コイル８７への給電により電磁石５１が吸着板９４を吸引することで分離部材５２が回転中心軸１０７を回転中心として上方に回転し、ストッパ受部１７７が上ストッパ１７６に係合することで分離部材５２の回転運動が阻止される。分離部材５２の回転過程においてストッパ受部１７７は内部壁１７２の左側面とは接触しない。励磁コイル８７への給電の遮断により分離部材５２が回転中心軸１０７を回転中心として下方に回転し、下ストッパ１７８が容器５３の下壁６２の前面１７９に接触することで、分離部材５２のそれ以上の下方への回転が阻止される。分離部材５２は、上ストッパ１７６で規制される上昇限度位置にある状態、下ストッパ１７８で規制される下降限度位置にある状態、上昇限度位置と下降限度位置との間にある状態において、電磁石５１と接触しないように位置決めされる。よって、電磁石５１と分離部材５２とが互いに接触しないことから、電磁石５１の耐久性が高くなり、電磁石５１を再利用に供し得る機会が多くなり、資源再利用化に貢献できるようになる。
【００２５】
図１２に示すように、送出機構３４の球出口５６の前方に位置する蓋５４の後面１８０が、分離部材５２の上昇限度位置で収容凹部９３内に取り込まれる球Ｐの対応する初期部位ａと初期部位ａより下方に位置する下部位ｂとを備え、下部位ｂが初期部位ａよりも球出口５６の方向に張り出す形状に形成される。この構成によって、分離部材５２が下降限度位置まで回転した場合に、球Ｐが後面１８０の下部位ｂに衝突することで球出口５６の方向に押されるので、球Ｐを球出口５６の方向に加速させることができる。また、収容凹部９３の下隔壁９８の上面１８１は、球入口５５の側から球出口５６の側に向けて傾斜して下る面に形成されているので、分離部材５２が下降限度位置まで回転した場合に、下隔壁９８の上面１８１に乗っている球Ｐは球出口５６の方向に勢い付けられて流れる。よって、球Ｐを球出口５６よりスムーズに排出させることができる。初期部位ａの後面１８２は初期部位ａの上端から下部位ｂの上端にかけて球出口５６の方向に傾斜する面に形成される。球入口５５の下縁１８３と初期部位ａの上端とが球入口５５の下縁１８３から初期部位ａの上端にかけて傾斜して下る球案内面１８４に形成される。よって、球Ｐを球入口５５より球保留部１７１（図８参照）にスムーズに導くことができる。
【００２６】
図１２に示すように、送出機構３４の球出口５６の前方に位置する蓋５４の後面１８０の位置ｆが、収容凹部９３の上隔壁９６で収容凹部９３の入口に留め置かれてかつ容器５３の後壁５８の前面１７４と接触した１個の球Ｐの球入口５５側の端面の位置ｅよりも球出口５６に近い位置に形成されたことによって、球が発射機構２４から逆流してきた場合の球Ｐとの球噛みを抑制できる。球噛みは、２つの球の中心を通る一直線上に２つの球の接触点が位置した状態において、上記一直線上で２つの球に当該２つの球を互いに押し付ける力が加わった場合に生じる。後面１８０の位置ｆと上記球Ｐの端面の位置ｅとが球出口５６から同じ距離の位置にある場合や後面１８０の位置ｆが上記球Ｐの端面の位置ｅよりも球入口５５に近い位置にある場合には、収容凹部９３の入口に留め置かれた球Ｐの中心と発射機構２４から逆流してきた球の中心とが２つの球の中心を通る一直線上に位置した場合に、２つの球が外側から押されあうと下の球が球出口５６の方向に動きにくく球噛みを生じやすいが、後面１８０の位置ｆが位置ｅよりも球出口５６に近い位置であれば、下の球が収容凹部９３の下隔壁９８の上面１８１上を転がって球出口５６の方向に動きやすくなるので、発射機構２４からの球の逆流に基づく球噛みを少なくできる。
【００２７】
さらに、収容凹部９３内に１個の球Ｐを取り込んだ分離部材５２が下降限度位置に停止するまでは、球出口５６の上縁１８５と収容凹部９３の下隔壁９８との間で形成される開口の径が１個の球Ｐの径より小さく、収容凹部９３内に１個の球を取り込んだ分離部材５２が下降限度位置に停止した場合に、上隔壁９６で収容凹部９３の入口に１個の球Ｐを留め置くとともに球出口５６の上縁１８５と収容凹部９３の下隔壁９８との間で形成される開口の径が１個の球Ｐの径より大きくなるように球出口５６が形成される。この構成によれば、分離部材５２が下降限度位置まで下がりきるまでは、球Ｐが収容凹部９３内に保留され、分離部材５２が下降限度位置まで完全に下がりきって、上隔壁９６が後続の球Ｐを球保留部１７１に完全に留め置いた後に、球Ｐが球出口５６より排出されるので、球Ｐを１個ずつ確実に分離して球出口５６より排出できる。
【００２８】
図１、図２、図１３を参照し、送出機構３４が受皿部３１から取り込んだ球を発射機構２４に１個ずつ分離供給する動作を説明する。パチンコ機は、図外の電源スイッチの投入により、電源装置２００から図外の電力供給配線を経由して、発射払出制御装置２０１、主制御装置、演出制御ユニット、その他の電気部品に電力が供給される。即ち、島と呼ばれる遊技機設置構造体の電源設備からの商用電源を図外の電源コネクタを経由して電源装置２００に入力し、電源装置がパチンコ機に搭載された電気部品の駆動に必要な複数の電力を生成して電気部品に供給する。主制御装置が電源スイッチのオン動作に伴う電力供給で起動し、球が受皿部３１に入っている状態において、発射操作機構３２が遊技者によって操作されておらず、電磁石５１の励磁コイル８７への給電が遮断されている状態では、図１；図２のａ図のように、分離部材５２の自重によって分離部材５２が一端部である回転中心軸１０７を回転中心として下方に回転し、この下方への回転により分離部材５２が下降限度位置に停止することによって、収容凹部９３の上部を区画する上隔壁９７が、受皿部３１から筐体５０の球入口５５を経由して筐体５０の内部に供給された球を収容凹部９３の上隔壁９７と収容凹部９３の下部を区画する下隔壁９８との間における収容凹部９３の入口に留め置く状態である。つまり、球保留部１７１により球Ｐ１が保留される。球保留部１７１により収容凹部９３の入口に留め置かれた球Ｐ１の中心と、球Ｐ１と球Ｐ１を留める上隔壁９７との接触点とを結ぶ線が水平線を形成する。この場合、図２のａ図のように、球保留部１７１により保留された球Ｐ１の後方には後続の球Ｐ２が続いている。発射操作機構３２が遊技者によって操作された場合には、主制御装置が電磁石５１の励磁コイル８７に対する駆動電力の給電と遮断を繰り返す。給電された場合には、電磁石５１が分離部材５２の吸着板９４を磁力で吸引することによって、図１のｂ図に示すように、分離部材５２が一端部を回転中心として上方に回転し、この上方への回転により分離部材５２が上ストッパ１７６とストッパ受部１７７とにより上昇限度位置に停止する過程において、収容凹部９３の上隔壁９７で収容凹部９３の入口に留め置かれていた１個の球Ｐ１を収容凹部９３内に取り込む。この場合、図２のｂ図のように、後続の球Ｐ２が球出口５６の方向に移動する。電磁石５１の励磁コイル８７への給電の遮断された場合には、分離部材５２が下降限度位置に向けて回転する。この場合、図１のｃ図のように、上隔壁９７が、収容凹部９３内に取込まれた球Ｐ１に続く後続の球Ｐ２に接触した状態となる。つまり、図２のｃ図のように、分離部材５２が下降限度位置まで下がりきるまでは、球Ｐ１が収容凹部９３内に保留される。分離部材５２がさらに回転することによって、図１；図２のｄ図のように、分離部材５２が下降限度位置に停止すると上記収容凹部９３に取り込まれていた球Ｐ１が球出口５６に対応し収容凹部９３から球出口５６を経由して排出されるとともに上隔壁９７が後続の球Ｐ２を収容凹部９３の入口に留め置く。つまり、分離部材５２が下降限度位置まで完全に下がりきって、上隔壁９６が後続の球Ｐ２を球保留部１７１に完全に留め置いた後に、球Ｐ１が球出口５６より排出されるので、球を１個ずつ確実に分離して球出口５６より排出できる。よって、電磁石５１に対する給電及び給電の遮断の１サイクルで球が１個ずつ発射機構２４に供給される。発射払出制御基板２０１が発射機構２４を発射操作機構３２から出力された操作量に応じた発射力で例えば１分間に１か１００発未満までの所定数の間隔で駆動し、発射機構２４が球を１個ずつ遊技盤４０の発射通路４４に向けて発射する。発射通路４４に発射された球が、発射通路４４から遊技領域４１に入った球が遊技領域４１を流下する過程において、いずれかの入賞部品に入賞したならば、その入賞部品の図外の球検出器から入賞検出信号が主制御装置に出力される。
【００２９】
最良の形態２
図１４；図１５を参照し、最良の形態２による遊技球送り装置の送出機構３４Ａを説明する。送出機構３４Ａは、筐体５０Ａ、電磁石５１Ａ、分離部材５２Ａを備える。筐体５０Ａは、合成樹脂の容器５３Ａと合成樹脂の蓋５４Ａとが組み合わされて形成され、球入口５５Ａ及び球出口５６Ａを備える。容器５３Ａは、後壁５８Ａ、上壁５９Ａ、右側壁６０Ａ、左側壁６１Ａ、下壁６２Ａを備え、後壁５８Ａ、上壁５９Ａ、右側壁６０Ａ、左側壁６１Ａ、下壁６２Ａで囲まれた収納凹部６３Ａを有した箱形状である。容器５３Ａの後壁５８Ａには、後壁５８Ａを前後に貫通する電磁石放熱孔６４Ａ及び球出口５６Ａが形成される。電磁石放熱孔６４Ａは後壁５８Ａの上部中央に形成され、球出口５６Ａは後壁５８Ａの右下部に形成される。右側壁６０Ａには右側壁６０Ａの外面より外側に突出して上下右方向に延長する筐係合部６５が設けられる。筐係合部６５は、皿構造体６の裏面６ｂに設けられた台係合部１２４（図９参照）に係合する。左側壁６１Ａには左側壁６１Ａの外面より外側に突出する取付板６７が設けられる。取付板６７には取付具６８が設けられる。
【００３０】
電磁石５１Ａは、馬蹄形コア８６Ａ、励磁コイル８７Ａを備える。馬蹄形コア８６Ａは、平行に相対峙する２つの脚部８８Ａ；８９Ａとこれら脚部８８Ａ；８９Ａの一端部同士を連結する連結部９０Ａとを備えた形状である。励磁コイル８７Ａは、絶縁体よりなる筒体（ボビン）の筒周りに銅線を巻いて形成される。電磁石５１Ａは、馬蹄形コア８６Ａの一方の脚部８９Ａが筒体の筒孔に挿入されたことによって、馬蹄形コア８６Ａの一端部に励磁コイル８７Ａの巻付けられた構成である。馬蹄形コア８６Ａの他方の脚部８８Ａの上下には、脚部８８Ａを前後に貫通する位置決め孔９１Ｂ；９１Ｃが形成される。馬蹄形コア８６Ａの他方の脚部８８Ａの上下間の中央には、脚部８８Ａを前後に貫通するねじ挿入孔９１Ａが形成される。
【００３１】
分離部材５２Ａは、回転部材９２Ａ、収容凹部９３Ａ、吸着板９４Ａを備える。回転部材９２Ａは、合成樹脂よりなり、一端部９５Ａを回転中心として筐体５０Ａに回転可能に取り付けられる。回転部材９２Ａの他端部には、球を受け入れるための収容凹部９３Ａが形成される。収容凹部９３Ａは、回転部材９２Ａの他端面９６Ａから内部への窪みとして設けられて前後に開口する形態であって、具体的には、回転部材９２Ａの他端部に設けられた相対峙する上隔壁９７Ａと下隔壁９８Ａとこれら上隔壁９７Ａと下隔壁９８Ａとを互いに連絡する連絡壁９９Ａとで形成され、前後及び上下の壁の先端間が開口の凹部である。一端部９５Ａには、一端部９５Ａの前面より前方に突出する前軸７０Ａ及び一端部９５Ａの後面より後方に突出する後軸７１Ａとで形成される回転中心軸７２Ａが設けられる。吸着板９４Ａは、回転部材９２Ａにおける電磁石５１Ａの側に位置する面、即ち、上壁部９７Ａの上面１０３Ａと対応した平板により形成される。上面１０３Ａには上下に延長する取付孔７３Ａが形成される。吸着板９４Ａには止ねじ１０１Ａを貫通させる貫通孔１００Ａが形成される。吸着板９４Ａの平板の面と上面１０３Ａとを向かい合わせた状態で吸着板９４Ａの貫通孔１００Ａと上面１０３Ａに形成された取付孔７３Ａとを合致させて止ねじ１０１Ａを貫通孔１００Ａ経由で取付孔７３Ａに締結することで吸着板９４Ａが上面１０３Ａに取付けられる。上面１０３Ａの左端後側には、上面１０３Ａより上方に延長する位置決め突起７５Ａが形成される。吸着板９４Ａの左端後部は位置決め突起７５Ａに対応した切欠部７６Ａに形成される。馬蹄形コア８６Ａ及び吸着板９４Ａは、軟鉄のような強磁性材により形成される。吸着板９４Ａが回転部材９２Ａにおける電磁石５１Ａの側に位置する面としての上面１０３Ａと対応した形状の平板により形成され、平板の面と上面１０３Ａとが向かい合わされた状態で吸着板９４Ａが上面１０３Ａに取り付けられた構成としたので、電磁石５１Ａの着磁及び消磁によって電磁石５１Ａに吸引及び吸引解除が繰り返されても吸着板９４Ａは金属疲労の集中する部分が少なく、吸着板９４Ａの破壊しにくい構造が得られる。切欠部７６Ａと位置決め突起７５Ａとを形成したので、上面１０３への吸着板９４Ａの取付けの際の吸着板９４Ａの向きの間違いを防止でき、吸着板９４Ａを上面１０３に正確に取り付けることができる。
【００３２】
筐体５０Ａには、電磁石５１Ａの取付部、蓋５４Ａの取付部、分離部材５２Ａの取付部が設けられる。電磁石５１Ａの取付部は、容器５３Ａの後壁５８Ａの前面において電磁石放熱孔６４の左縁に沿って上下に延長し前方に突出する取付座７８Ａにより形成される。取付座７８Ａの上端部の前面と下端部の前面とには前方に突出する電磁石用の位置決め突起７９Ａ；７９Ａが形成される。取付座７８Ａの上下間の中央部の前面には当該前面から後方に延長する取付孔８０Ａが形成される。分離部材５２Ａの取付部は、分離部材５２Ａにおける回転部材９２Ａの回転中心軸７２Ａの前軸７０Ａを受ける前軸受部８１Ａと回転中心軸７２Ａの後軸７１Ａを受ける後軸受部８２Ａとで形成される。前軸受部８１Ａは、蓋５４Ａに形成された蓋５４Ａの前後に貫通する貫通孔により形成される。後軸受部８２Ａは、容器５３Ａの収納凹部６３Ａにおける後壁５８Ａの前面より前方に突出する円柱体８３Ａの前面から後方に延長して形成された孔により形成される。前軸受部８１Ａと後軸受部８２Ａとにより回転中心軸７２Ａの軸受部が形成される。蓋５４Ａの取付部は、容器５３Ａの収納凹部６３Ａにおける下部左側の前面に設けられた取付孔８４Ａと位置決め突起８５Ａ；８５Ａとにより形成される。取付孔８４Ａは、容器５３Ａの後壁５８Ａの下部の前面より前側に突出して設けられた取付支柱１０２Ａの前面より後方に延長する孔により形成される。位置決め突起８５Ａは、取付支柱１０２Ａと下壁６２Ａとを連結する縦連結壁１０４Ａ及び取付支柱１０２Ａと左側壁６１Ａの下端部６１Ｂとを連結する横連結壁１０４Ｂの前面より前側に突出して設けられる。左側壁６１Ａの下端部６１Ｂ、下壁６２Ａ、取付支柱１０２Ａ、縦連結壁１０４Ａ、横連結壁１０４Ｂの前端面、即ち、蓋５４Ａの取り付けられる収納凹部６３Ａの前面は、後壁５８Ａの前面より同じ距離だけ離れた位置にある同一平面で形成される。蓋５４Ａには、取付孔８４Ａに対応するねじ挿入孔１０７Ａ、位置決め突起８５Ａ；８５Ａに対応する位置決め孔１０６Ａ；１０６Ａが蓋５４Ａの前後に貫通する貫通孔により形成される。１７６Ａは上ストッパ、１７８Ａは下ストッパである。
【００３３】
送出機構３４Ａの組立方法を説明する。馬蹄形コア８６Ａに形成された位置決め孔９１Ｂ；９１Ｃと電磁石５１Ａの取付部である取付座７８Ａに形成された位置決め突起７９Ａ；７９Ａとが互いに嵌め合わされ、止ねじ１０５Ａが馬蹄形コア８６Ａの貫通孔９１Ａを経由して取付座７８Ａの取付孔８０Ａに締結されることによって、電磁石５１Ａが容器５３Ａの収納凹部６３Ａ内に収納凹部６３Ａの前側から取付けられる。即ち、位置決め孔９１Ｂ；９１Ｃと位置決め突起７９Ａ；７９Ａとにより形成される電磁石位置決め機構を備え、電磁石５１Ａが収納凹部６３Ａ内の取付座７８Ａに収納凹部６３Ａの前側から取付可能とされた構成を備えたので、容器５３Ａの収納凹部６３Ａ内に対する電磁石５１Ａの着脱作業を容易にできる。分離部材５２における回転部材９２Ａの回転中心軸７２Ａの後軸７１Ａと後軸受部８２Ａとが互いに嵌め合わされた状態で、回転中心軸７２Ａの前軸７０Ａと蓋５４Ａの前軸受部８１Ａとが互いに嵌め合わされ、かつ、蓋５４Ａの位置決め孔１０６Ａ；１０６Ａと容器５３Ａにおける収納凹部６３Ａの前面の位置決め突起８５Ａ；８５Ａとが互いに嵌め合わされた状態において、止ねじ１０９Ａが蓋５４Ａの前側からねじ挿入孔１０７Ａを経由して取付孔８４Ａに締結される。即ち、蓋５４Ａが収納凹部６３Ａの前面に対して収納凹部６４Ａの前側から取付可能とされた構成において、分離部材５２Ａにおける回転部材９２Ａの回転中心軸７２Ａが前軸受部８１Ａ及び後軸受部８２Ａに装着されて分離部材５２Ａが回転中心軸７２Ａを回転中心として筐体５０Ａに回転可能に取り付けられ、かつ、蓋５４Ａが容器５３Ａの収納凹部６３Ａの前面下部に取り付けられることで、送出機構３４Ａが組み立てられるので、送出機構３４Ａの組み立てが容易となる。
【００３４】
尚、最良の形態２の送出機構３４Ａにおいても、最良の形態１と同じように、電磁石５１Ａが開口部１１４を経由して容器５３Ａ内に設けられた電磁石５１Ａの取付部に着脱可能とされた構成を備える。また、最良の形態２の送出機構３４Ａは、最良の形態１の図１；２で説明した動作を行い、図１２で説明した構成を備える。
【産業上の利用可能性】
【００３５】
回転部材９２；９２Ａを弱磁性材より形成してもよいが、回転部材９２；９２Ａを合成樹脂により形成すれば、電磁石５１；５１Ａによる球Ｐへの着磁を少なくできる。吸着板９４；９４Ａが電磁石５１；５１Ａの磁気で着磁して分離部材５２；５２Ａが下降限度位置まで下がらなくなるという現象を防止するためには、分離部材５２；５２Ａの下方への回転を補助するようにばねを設け、このばねのばね力と分離部材５２；５２Ａの自重と収容凹部９３；９３Ａに収容された球Ｐの自重との協同で分離部材５２；５２Ａを下方に回転させる構成とすればよい。
【図面の簡単な説明】
【００３６】
【図１】遊技球送り装置の送出機構による球の送り動作を蓋を取った送出機構の前面側から見て示した動作説明図（最良の形態１）。
【図２】送出機構による球の送り動作を横から見た断面図（最良の形態１）。
【図３】送出機構を分解して前側から見た図（最良の形態１）。
【図４】送出機構を分解して裏側から見た図（最良の形態１）。
【図５】送出機構を前面から見た斜視図（最良の形態１）。
【図６】送出機構の蓋を取った状態を前面から見た斜視図（最良の形態１）。
【図７】送出機構を前面から見た図（最良の形態１）。
【図８】送出機構の蓋を取った状態を前面から見た図（最良の形態１）
【図９】送出機構と送出機構の取付部とを分離した斜視図（最良の形態１）。
【図１０】送出機構の取付部に送出機構を取り付けた斜視図（最良の形態１）。
【図１１】送出機構の取付具及び取付具の取付動作を示す図（最良の形態１）。
【図１２】図７のＡ−Ａ断面に相当する送出機構の縦断面（最良の形態１）。
【図１３】パチンコ機の遊技機枠と遊技盤とを分離した斜視図（最良の形態１）。
【図１４】送出機構を分解して前側から見た図（最良の形態２）。
【図１５】送出機構を前面から見た斜視図（最良の形態２）。
【符号の説明】
【００３７】
１Ａ  遊技機枠、６  皿構造体、３１  受皿部、３２  発射操作機構、
３４；３４Ａ  送出機構、５０；５０Ａ  筐体、５１；５１Ａ  電磁石、
５２；５２Ａ  分離部材、５３；５３Ａ  容器、５４；５４Ａ  蓋、
７２Ａ  回転中心軸、７８Ａ  取付座、７９Ａ  位置決め突起、８０Ａ  取付孔、
８１Ａ  前軸受部（軸受部）、８２Ａ  後軸受部（軸受部）、８４Ａ  取付孔、
８５Ａ  位置決め突起、８６；８６Ａ  馬蹄形コア、８７；８７Ａ  励磁コイル、
９１Ａ  ねじ挿入孔、９１Ｂ：９１Ｃ  位置決め孔、９２；９２Ａ  回転部材、
９３；９３Ａ  収容凹部、９４；９４Ａ  吸着板、９７；９７Ａ  上隔壁、
９８；９８Ａ  下隔壁、１０６Ａ  位置決め孔、１０７Ａ  ねじ挿入孔、
１１４  開口部、１７６：１７６Ａ  上ストッパ、１７８；１７８Ａ  下ストッパ、
１８０  蓋の前面、１８５  球出口の上縁、ａ  初期部位、ｂ  下部位、
ｅ  球の端面の位置、ｆ  前面の位置。
【図１】
2007044230.tif 000003
【図２】
2007044230.tif 000004
【図５】
2007044230.tif 000005
【図９】
2007044230.tif 000006
【図１０】
2007044230.tif 000007
【図１１】
2007044230.tif 000008
【図１２】
2007044230.tif 000009
【図１３】
2007044230.tif 000010
【図１４】
2007044230.tif 000011
【図１５】
2007044230.tif 000012
【図３】
2007044230.tif 000013
【図４】
2007044230.tif 000014
【図６】
2007044230.tif 000015
【図７】
2007044230.tif 000016
【図８】
2007044230.tif 000017